(57)【要約】      （修正有）【課題】開閉扉を開いたままにしておいても開となっている開閉扉を自動的に閉じることができる食品用ウォーマを提供する。【解決手段】食品用ウォーマ１０は前面を有するボックス１１と、該ボックス１１内に設けられた載置棚およびヒータ３５と、前面の開口部１２ａに設けられた一対の開閉扉２０ａ，２０ｂとを備えている。各開閉扉２０ａ，２０ｂは枠体１２ｂに揺動軸２５ａ，２５ｂを介して揺動自在に取付けられた基端縁２１ａ，２１ｂと、開口部１２ａの中央側に位置する自由端縁２２ａ，２２ｂとを有する。一対の開閉扉２０ａ，２０ｂの閉時において、基端縁２１ａ，２１ｂと揺動軸２５ａ，２５ｂは、上方に向かって先細状に傾斜している。【選択図】図１
0003165881.tif 000002
【実用新案登録請求の範囲】
【請求項１】
開口部と、開口部を囲む枠体とを含む前面を有するボックスと、
ボックス内に配置され、温められた食品を載置する載置棚と、
ボックス内に設けられたヒータと、
前面の開口部の左側および右側を各々閉じる一対の開閉扉とを備え、
各開閉扉は枠体に揺動軸を介して揺動自在に取付けられた基端縁と、開口部の中央側に位置する自由端縁とを有し、
一対の開閉扉の閉時において、一対の開閉扉の基端縁および揺動軸は上方へ向かうにつれて先細状に傾斜し、かつ一対の開閉扉の自由端縁は各々垂直方向に延びることを特徴とする食品用ウォーマ。
【請求項２】
一対の開閉扉の閉時において、各開閉扉の下端縁および上端縁は水平方向に延び、各開閉扉は台形状となることを特徴とする請求項１記載の食品用ウォーマ。
【考案の詳細な説明】
【技術分野】
【０００１】
本考案は、温められた食品を収納する食品用ウォーマに係り、とりわけ作業者が開閉扉を閉じることを忘れた場合でも開閉扉を確実に閉じることができる食品用ウォーマに関する。
【背景技術】
【０００２】
従来より食品用ウォーマとして、開口部を含む前面を有するボックスと、ボックス内に配置され温められた食品を載置する載置棚と、ボックス内に設けられたヒータとを備えたものが知られている。
【０００３】
前面の開口部には一対の開閉扉が設置され、一方の開閉扉は開口部の左側を閉じ、他方の開閉扉は開口部の右側を閉じるようになっている。
【０００４】
このような一対の開閉扉は、各々枠体に揺動自在に取付けられた基端縁と、自由端縁とを有し、作業者は一対の開閉扉を観音開き状に開くことにより、ボックス内の食品を取り出したり、ボックス内に食品を収納している。
【０００５】
しかしながら作業者が忙しい場合、ボックスの開口部に設けられた開閉扉を閉め忘れることがあり、この場合はボックス内に収納されている食品が冷たくなったり、効率良く食品を温めた状態で維持できないことがある。
【考案の概要】
【考案が解決しようとする課題】
【０００６】
本考案はこのような点を考慮してなされたものであり、ボックスの開口部に設けられた開閉扉を閉め忘れた場合であっても、この開閉扉を確実に閉じることができる食品用ウォーマを提供することを目的とする。
【課題を解決するための手段】
【０００７】
本考案は、開口部と、開口部を囲む枠体とを含む前面を有するボックスと、ボックス内に配置され、温められた食品を載置する載置棚と、ボックス内に設けられたヒータと、前面の開口部の左側および右側を各々閉じる一対の開閉扉とを備え、各開閉扉は枠体に揺動軸を介して揺動自在に取付けられた基端縁と、開口部の中央側に位置する自由端縁とを有し、一対の開閉扉の閉時において、一対の開閉扉の基端縁および揺動軸は上方へ向かうにつれて先細状に傾斜し、かつ一対の開閉扉の自由端縁は各々垂直方向に延びることを特徴とする食品用ウォーマである。
【０００８】
本考案は、一対の開閉扉の閉時において、各開閉扉の下端縁および上端縁は水平方向に延び、各開閉扉は台形状となることを特徴とする食品用ウォーマである。
【考案の効果】
【０００９】
以上のように本考案によれば、ボックスの前面開口部に設けられた一対の開閉扉を閉とした場合、一対の開閉扉の基端縁および揺動軸は上方へ向かうにつれて先細状に傾斜している。このため例えば一方の開閉扉を開いた状態にして閉じることを忘れたとしても、開状態の開閉扉が自重により揺動軸の回りを回動して閉じることになる。このためボックス内の保温性を効果的に維持することができる。
【図面の簡単な説明】
【００１０】
【図１】図１（ａ）は本考案による食品用ウォーマを示す正面図であって、一対の開閉扉が閉の状態を示す図であり、図１（ｂ）は一方の開閉扉が開き他方の開閉扉が閉の状態を示す図。
【図２】図２は本考案による食品用ウォーマを示す正面図。
【図３】図３は開状態の開閉扉に働く重力を示す図。
【考案を実施するための形態】
【００１１】
以下図面を参照して、本考案の実施の形態について説明する。
【００１２】
図１（ａ）（ｂ）、図２および図３は、本考案による食品用ウォーマの一実施の形態を示す図である。
【００１３】
図１（ａ）（ｂ）、図２および図３に示すように、食品用ウォーマ１０は前面１２を有する箱状のボックス１１と、ボックス１１内に配置され温められた食品Ｆを収納する容器（パン）３２が載置された載置棚３１と、ボックス１１内の下方に設けられたヒータ３５とを備えている。
【００１４】
このうちボックス１１の前面１２は、開口部１２ａと、開口部１２ａを囲む枠体１２ｂとを有し、前面１２の開口部１２ａには透明パネルからなる一対の開閉扉２０ａ，２０ｂが取付けられている。このうち一方、例えば左側の開閉扉２０ａは開口部１２ａの左側を閉じ、右側の開閉扉２０ｂは開口部１２ａの右側を閉じるようになっており、開口部１２ａの左側および右側を閉じる一対の開閉扉２０ａ，２０ｂは観音開き状に開閉される。
【００１５】
また各開閉扉２０ａ，２０ｂは、各々枠体１２ｂに揺動軸２５ａ，２５ｂを介して揺動自在に取付けられた基端縁２１ａ，２１ｂと、開口部１２ａの中央側に位置する自由端縁２２ａ，２２ｂとを有している。
【００１６】
また一対の開閉扉２０ａ，２０ｂの閉時において、各開閉扉２０ａ，２０ｂの基端縁２１ａ，２１ｂおよび揺動軸２５ａ，２５ｂは、いずれも上方に向かうにつれて先細状に傾斜しており、また各開閉扉２０ａ，２０ｂの開口部１２ａの中央側に位置する自由端縁２２ａ，２２ｂは、いずれも垂直方向に延びている。
【００１７】
さらに一対の開閉扉２０ａ，２０ｂの閉時において、各開閉扉２０ａ，２０ｂの下端縁２３ａ，２３ｂおよび上端縁２４ａ，２４ｂはいずれも水平方向に延び、これによって各開閉扉２０ａ，２０ｂは各々台形状となっている。
【００１８】
上述のように各開閉扉２０ａ，２０ｂは、その基端縁２１ａ，２１ｂにおいて揺動軸２５ａ，２５ｂを介して枠体１２ｂに取付けられており、この場合、基端縁２１ａ，２１ｂおよび揺動軸２５ａ，２５ｂは上方へ向かって先細状に傾斜している。すなわち、各開閉扉２０ａ，２０ｂの基端縁２１ａ，２１ｂは上方に向かうにつれて開口部１２ａの中央側を向くよう傾斜したヒンジ２６ａ，２６ｂによって枠体１２に取付けられており、このため各開閉扉２０ａ，２０ｂの基端縁２１ａ，２１ｂと揺動軸２５ａ，２５ｂは上方へ向かって先細状に傾斜している。
【００１９】
ここで各開閉扉２０ａ，２０ｂの揺動軸２５ａ，２５ｂは各々ヒンジ２６ａ，２６ｂによって形成されている。
【００２０】
さらに図２に示すように、各開閉扉２０ａ，２０ｂの上部には磁性板２８ａ，２８ｂが各々設けられ、枠体１２ｂの上部には磁性板２８ａ，２８ｂを吸着するマグネット２９ａ，２９ｂが各々設けられている。そして各開閉扉２０ａ，２０ｂを閉じたとき、各開閉扉２０ａ，２０ｂの磁性板２８ａ，２８ｂがマグネット２９ａ，２９ｂに吸着されて、開閉扉２０ａ，２０ｂを確実に閉じることができる。
【００２１】
次に各構成部材の材料について述べる。
【００２２】
前面１２を有するボックス１１は、全体としてＳＵＳ４３０からなり、ボックス１１の枠体１２ｂに取付けられたヒンジ２６ａ，２６ｂはＳＵＳ３０４からなる。
【００２３】
また各開閉扉２０ａ，２０ｂは、透明のポリカーボネートからなり、各開閉扉２０ａ，２０ｂにはＳＵＳ３０４製の取っ手３３が取付けられている。
【００２４】
さらにまたマグネット２９ａ，２９ｂに吸着される磁性板２８ａ，２８ｂはＳＵＳ４３０製となっており、また載置棚３１もＳＵＳ４３０製となっている。
【００２５】
さらにボックス１１内に設けられた載置棚３１は、ＳＵＳ４３０製となっている。
【００２６】
次にこのような構成からなる本実施の形態の作用について、図１（ａ）（ｂ）により説明する。
【００２７】
食品用ウォーマのボックス１１内はヒータ３５により加熱され、一定の温度に保たれている。
【００２８】
次に作業者は取っ手３３，３３をもって一対の開閉扉２０ａ，２０ｂを観音開き状に開き、載置棚３１上の食品Ｆを容器３２ごと外方へ取り出し、必要な食品Ｆを使用した後、容器３２毎食品Ｆを載置棚３１上に戻す。
【００２９】
その後、作業者は一対の開閉扉２０ａ，２０ｂを閉じることになるが、作業者は時々この開いた開閉扉２０ａ，２０ｂを忘れて開いたままにしておくことがある。
【００３０】
この場合、図１（ｂ）および図３に示すように、例えば開いた状態の開閉扉２０ａを考える。この開閉扉２０ａはその基端縁２１ａおよび揺動軸２５ａのいずれも上方に向かうにつれて開口部１２ａの中央に向かって傾斜している。また開閉扉２０ａのヒンジ２６ａも同一方向に向かって傾斜している。このため開閉扉２０ａの重心Ｆは揺動軸２５ａに平行な力Ｆ１と、揺動軸２５ａに直交する力Ｆ２とに分けられる。
【００３１】
そして揺動軸２５ａに平行な力Ｆ１はヒンジ２６ａにより支持され、揺動軸２５ａに直交する力Ｆ２が開閉扉２２ａを揺動軸２５ａ回りに回転させる回転モーメントを生じさせる。このことにより、開いた状態の開閉扉２０ａを揺動軸２５ａ回りに回動させて、開閉扉２０ａを閉とすることができる。そして閉じられた開閉扉２０ａの磁性板２８ａがマグネット２９ａに吸着され、開閉扉２０ａを確実に閉とすることができる。
【００３２】
なお、開いた状態の開閉扉２０ａ，２０ｂを確実に揺動軸２５ａ，２５ｂ回りに回動させて閉とするため、一対の開閉扉２０ａ，２０ｂは開いた状態にあるとき揺動軸２５ａ，２５ｂよりわずかに前方に位置するようにしておく。このことにより、各開閉扉２０ａ，２０ｂの自重Ｆにより、スムーズに開閉扉２０ａ，２０ｂを揺動軸２５ａ，２５ｂ回りに回動させて開閉扉２０ａ，２０ｂを閉じることができる。
【符号の説明】
【００３３】
１０  食品用ウォーマ
１１  ボックス
１２  前面
１２ａ  開口部
２０ａ，２０ｂ  開閉扉
２１ａ，２１ｂ  基端縁
２２ａ，２２ｂ  自由端縁
２３ａ，２３ｂ  下端縁
２４ａ，２４ｂ  上端縁
２５ａ，２５ｂ  揺動軸
３１  載置棚
３５  ヒータ
【図１】
0003165881.tif 000003
【図２】
0003165881.tif 000004
【図３】
0003165881.tif 000005